(57)【要約】【課題】本発明は毛筆掛けを開示した。【解決手段】本発明は毛筆掛けを開示し、台座を含み、前記台座の上端面には三つの抜き穴が設置され、各前記抜き穴の左右両端には位置制限溝がそれぞれ設置され、前記位置制限溝の中には位置制限機構が設置され、前記位置制限機構の上端面には密封板がそれぞれ固定的に設置され、前記抜き穴の下端壁には乾燥チャンバが設置され、前記Ｌ型ロッドが前記固定軸から離れている方向へ移動する時、前記弧状ヘッドが上方へ移動し、前記挟みブロックが前記挟みブロックばねを通して弾き出されて筆軸を固定し、本装置は毛筆の異なる高さによって毛筆を固定でき、それに乾燥した環境で毛筆を保存できるようにさせ、それによって毛筆に黴が生えることは発生しにくく、同時に毛筆の使用寿命も高め、きれいな字を書くのに役立つ。【選択図】図１
2020179660.tif 000002
【特許請求の範囲】
【請求項１】
正面視で、台座を含み、前記台座の上端面には三つの抜き穴が設置され、各前記抜き穴の左右両端には位置制限溝がそれぞれ設置され、前記位置制限溝の中には位置制限機構が設置され、前記位置制限機構の上端面には密封板がそれぞれ固定的に設置され、前記抜き穴の下端壁には乾燥チャンバが設置され、前記乾燥チャンバの下端壁には水分を吸収できるシリカゲルが設置され、前記乾燥チャンバの後端には三つの噛み合い溝が設置され、前記噛み合い溝の中には噛み合い機構が設置され、前記噛み合い機構の左端にはつまみが固定的に設置され、前記噛み合い機構の上端には親ねじが固定的に設置され、前記噛み合い溝の上端壁には押しスライド溝が設置され、前記押しスライド溝の中には前記親ねじとネジ山によって連結された昇降板がスライドできるように連結され、前記昇降板の前端面には固定ブロックが固定的に設置され、前記固定ブロックの中には下方に開口した底溝が設置され、前記底溝の前後端壁には固定軸が固定的に連結され、前記固定軸には回転板が前後対称的に回転できるように連結され、前記回転板の間には復帰ばねが連結され、前記回転板の上端には凹ブロックがそれぞれヒンジで連結され、前記凹ブロックの中には凹溝が設置され、前記凹溝の中には移動ブロックがスライドできるように連結され、前記移動ブロックと前記凹溝との間には連結ばねが連結され、前記底溝の上端壁にはＴ型溝が設置され、前記Ｔ型溝の中には前記移動ブロックと固定的に連結されたＴ型ブロックがスライドできるように連結され、前記底溝の左右端壁には挟みブロック溝がそれぞれ設置され、前記挟みブロック溝の上端壁には連動溝が設置され、前記連動溝と前記挟みブロック溝との間には触発装置が設置され、前記移動ブロックの左右への移動によって触発装置が始動  され、それによって筆軸を固定し、前記底溝の上端には駆動溝が設置され、前記駆動溝の左右端壁にはラック溝がそれぞれ設置され、前記ラック溝のもう一端には連結空間がそれぞれ連通され、前記連結空間と前記挟みブロック溝との間には紐溝が連通され、前記連結空間と前記駆動溝との間には触発装置を復帰させることができる回収装置がそれぞれ設置されたことを特徴とする毛筆掛け。
【請求項２】
前記触発装置は前記移動ブロックの一つの端面に固定的に装着されたＬ型ロッドを含み、前記Ｌ型ロッドが前記連動溝とスライドできるように連結され、前記Ｌ型ロッドの下端面には弧状ヘッドがスライドできるように連結され、前記弧状ヘッドと前記Ｌ型ロッドとの間には小ばねが連結され、前記挟みブロック溝の中には筆軸を固定できる挟みブロックがスライドできるように連結され、前記挟みブロックが前記弧状ヘッドと当接しており、前記挟みブロックと前記挟みブロック溝との間には挟みブロックばねが連結され、前記Ｌ型ロッドが前記固定軸から離れている方向へ移動する時、前記弧状ヘッドが上方へ移動し、前記挟みブロックが前記挟みブロックばねを通して弾き出されて筆軸を固定することを特徴とする請求項１に記載の毛筆掛け。
【請求項３】
前記回収装置は前記駆動溝の上下端壁に回転できるように装着された駆動軸を含み、前記駆動軸の上端には駆動ブロックが固定的に設置され、前記駆動軸の上下両端には第一ギヤが対称的に固定的に設置され、前記ラック溝の中には長ラックがそれぞれスライドできるように連結され、前記長ラックがそれ自身に対応した前記第一ギヤとそれぞれ噛み合っており、前記連結空間の上下端壁には縦軸が回転できるように連結され、前記縦軸の上端には前記長ラックと噛み合っている第二ギヤが固定的に設置され、前記縦軸の下端には巻き輪が固定的に設置され、前記巻き輪には縄が固定的に設置され、前記縄のもう一端が前記挟みブロックと固定的に連結され、筆を取り出す時、前記駆動ブロックを旋転させ、それによって前記駆動軸と前記第一ギヤとを回転連動させ、それによって前記長ラックを移動連動させ、それによって前記第二ギヤを通して前記縦軸と前記巻き輪とを回転連動させ、前記縄を通して前記挟みブロックを前記挟みブロック溝の中に引き戻すことを特徴とする請求項１に記載の毛筆掛け。
【発明の詳細な説明】
【技術分野】
【０００１】
本発明は文房具分野に関わり、具体的には毛筆掛けである。
【背景技術】
【０００２】
毛筆掛けは毛筆をかけて置く設備であり、既存技術の毛筆掛けは毛筆の高さによって調節されるのが便利ではなく、使用が不便であり、そして乾燥した環境で毛筆を保存することに不利で、毛筆に黴が生えやすい。
【先行技術文献】
【特許文献】
【０００３】
【特許文献１】中国特許出願公開第１０３９２１６０１号明細書
【発明の概要】
【発明が解決しようとする課題】
【０００４】
本発明の目的は毛筆掛けを提供し、上記背景技術に提出される問題を解決する。
【課題を解決するための手段】
【０００５】
上記の目的を実現するため、本発明は以下の技術プランを提供する：毛筆掛けは、台座を含み、前記台座の上端面には三つの抜き穴が設置され、各前記抜き穴の左右両端には位置制限溝がそれぞれ設置され、前記位置制限溝の中には位置制限機構が設置され、前記位置制限機構の上端面には密封板がそれぞれ固定的に設置され、前記抜き穴の下端壁には乾燥チャンバが設置され、前記乾燥チャンバの下端壁には水分を吸収できるシリカゲルが設置され、前記乾燥チャンバの後端には三つの噛み合い溝が設置され、前記噛み合い溝の中には噛み合い機構が設置され、前記噛み合い機構の左端にはつまみが固定的に設置され、前記噛み合い機構の上端には親ねじが固定的に設置され、前記噛み合い溝の上端壁には押しスライド溝が設置され、前記押しスライド溝の中には前記親ねじとネジ山によって連結された昇降板がスライドできるように連結され、前記昇降板の前端面には固定ブロックが固定的に設置され、前記固定ブロックの中には下方に開口した底溝が設置され、前記底溝の前後端壁には固定軸が固定的に連結され、前記固定軸には回転板が前後対称的に回転できるように連結され、前記回転板の間には復帰ばねが連結され、前記回転板の上端には凹ブロックがそれぞれヒンジで連結され、前記凹ブロックの中には凹溝が設置され、前記凹溝の中には移動ブロックがスライドできるように連結され、前記移動ブロックと前記凹溝との間には連結ばねが連結され、前記底溝の上端壁にはＴ型溝が設置され、前記Ｔ型溝の中には前記移動ブロックと固定的に連結されたＴ型ブロックがスライドできるように連結され、前記底溝の左右端壁には挟みブロック溝がそれぞれ設置され、前記挟みブロック溝の上端壁には連動溝が設置され、前記連動溝と前記挟みブロック溝との間には触発装置が設置され、前記移動ブロックの左右への移動によって触発装置が始動  され、それによって筆軸を固定し、前記底溝の上端には駆動溝が設置され、前記駆動溝の左右端壁にはラック溝がそれぞれ設置され、前記ラック溝のもう一端には連結空間がそれぞれ連通され、前記連結空間と前記挟みブロック溝との間には紐溝が連通され、前記連結空間と前記駆動溝との間には触発装置を復帰させることができる回収装置がそれぞれ設置された。
【０００６】
好ましくは、前記触発装置は前記移動ブロックの一つの端面に固定的に装着されたＬ型ロッドを含み、前記Ｌ型ロッドが前記連動溝とスライドできるように連結され、前記Ｌ型ロッドの下端面には弧状ヘッドがスライドできるように連結され、前記弧状ヘッドと前記Ｌ型ロッドとの間には小ばねが連結され、前記挟みブロック溝の中には筆軸を固定できる挟みブロックがスライドできるように連結され、前記挟みブロックが前記弧状ヘッドと当接しており、前記挟みブロックと前記挟みブロック溝との間には挟みブロックばねが連結され、前記Ｌ型ロッドが前記固定軸から離れている方向へ移動する時、前記弧状ヘッドが上方へ移動し、前記挟みブロックが前記挟みブロックばねを通して弾き出されて筆軸を固定する。
【０００７】
好ましくは、前記回収装置は前記駆動溝の上下端壁に回転できるように装着された駆動軸を含み、前記駆動軸の上端には駆動ブロックが固定的に設置され、前記駆動軸の上下両端には第一ギヤが対称的に固定的に設置され、前記ラック溝の中には長ラックがそれぞれスライドできるように連結され、前記長ラックがそれ自身に対応した前記第一ギヤとそれぞれ噛み合っており、前記連結空間の上下端壁には縦軸が回転できるように連結され、前記縦軸の上端には前記長ラックと噛み合っている第二ギヤが固定的に設置され、前記縦軸の下端には巻き輪が固定的に設置され、前記巻き輪には縄が固定的に設置され、前記縄のもう一端が前記挟みブロックと固定的に連結され、筆を取り出す時、前記駆動ブロックを旋転させ、それによって前記駆動軸と前記第一ギヤとを回転連動させ、それによって前記長ラックを移動連動させ、それによって前記第二ギヤを通して前記縦軸と前記巻き輪とを回転連動させ、前記縄を通して前記挟みブロックを前記挟みブロック溝の中に引き戻す。
【発明の効果】
【０００８】
本発明の有益な効果は：本装置は毛筆の異なる高さによって毛筆を固定でき、それに乾燥した環境で毛筆を保存できるようにさせ、それによって毛筆に黴が生えることは発生しにくく、同時に毛筆の使用寿命も高め、きれいな字を書くのに役立つ。
【図面の簡単な説明】
【０００９】
本発明の実施例又は既存技術の技術プランを詳しく説明するため、下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の毛筆掛け全体全断面の正面構造略図
【図２】図２は本発明の図１の中の固定ブロックの拡大図
【図３】図３は本発明の図２の中のＣのところの部分拡大図
【図４】図４は本発明の図１の中のＡ―Ａ方向の断面図
【図５】図５は本発明の図１の中のＢ―Ｂ方向の断面図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１３】
図１〜５を参考し、本発明の実施例は：毛筆掛けであり、毛筆掛けは台座２１を含み、前記台座２１の上端面には三つの抜き穴５８が設置され、各前記抜き穴５８の左右両端には位置制限溝２３がそれぞれ設置され、前記位置制限溝２３の中には位置制限機構６６が設置され、前記位置制限機構６６の上端面には密封板２４がそれぞれ固定的に設置され、前記抜き穴５８の下端壁には乾燥チャンバ５７が設置され、前記乾燥チャンバ５７の下端壁には水分を吸収できるシリカゲル２２が設置され、前記乾燥チャンバ５７の後端には三つの噛み合い溝５９が設置され、前記噛み合い溝５９の中には噛み合い機構６０が設置され、前記噛み合い機構６０の左端にはつまみ６１が固定的に設置され、前記噛み合い機構６０の上端には親ねじ６３が固定的に設置され、前記噛み合い溝５９の上端壁には押しスライド溝６４が設置され、前記押しスライド溝６４の中には前記親ねじ６３とネジ山によって連結された昇降板２５がスライドできるように連結され、前記昇降板２５の前端面には固定ブロック２６が固定的に設置され、前記固定ブロック２６の中には下方に開口した底溝４１が設置され、前記底溝４１の前後端壁には固定軸３８が固定的に連結され、前記固定軸３８には回転板４０が前後対称的に回転できるように連結され、前記回転板４０の間には復帰ばね３９が連結され、前記回転板４０の上端には凹ブロック３７がそれぞれヒンジで連結され、前記凹ブロック３７の中には凹溝３６が設置され、前記凹溝３６の中には移動ブロック３４がスライドできるように連結され、前記移動ブロック３４と前記凹溝３６との間には連結ばね３５が連結され、前記底溝４１の上端壁にはＴ型溝３３が設置され、前記Ｔ型溝３３の中には前記移動ブロック３４と固定的に連結されたＴ型ブロック３２がスライドできるように連結され、前記底溝４１の左右端壁には挟みブロック溝４３がそれぞれ設置され、前記挟みブロック溝４３の上端壁には連動溝４９が設置され、前記連動溝４９と前記挟みブロック溝４３との間には触発装置１０１が設置され、前記移動ブロック３４の左右への移動によって触発装置１０１が始動  され、それによって筆軸を固定し、前記底溝４１の上端には駆動溝２８が設置され、前記駆動溝２８の左右端壁にはラック溝２７がそれぞれ設置され、前記ラック溝２７のもう一端には連結空間５１がそれぞれ連通され、前記連結空間５１と前記挟みブロック溝４３との間には紐溝４６が連通され、前記連結空間５１と前記駆動溝２８との間には触発装置１０１を復帰させることができる回収装置１０２がそれぞれ設置された。
【００１４】
前記触発装置１０１は前記移動ブロック３４の一つの端面に固定的に装着されたＬ型ロッド５０を含み、前記Ｌ型ロッド５０が前記連動溝４９とスライドできるように連結され、前記Ｌ型ロッド５０の下端面には弧状ヘッド５３がスライドできるように連結され、前記弧状ヘッド５３と前記Ｌ型ロッド５０との間には小ばね５５が連結され、前記挟みブロック溝４３の中には筆軸を固定できる挟みブロック４４がスライドできるように連結され、前記挟みブロック４４が前記弧状ヘッド５３と当接しており、前記挟みブロック４４と前記挟みブロック溝４３との間には挟みブロックばね４５が連結され、前記Ｌ型ロッド５０が前記固定軸３８から離れている方向へ移動する時、前記弧状ヘッド５３が上方へ移動し、前記挟みブロック４４が前記挟みブロックばね４５を通して弾き出されて筆軸を固定する。
【００１５】
前記回収装置１０２は前記駆動溝２８の上下端壁に回転できるように装着された駆動軸３１を含み、前記駆動軸３１の上端には駆動ブロック３０が固定的に設置され、前記駆動軸３１の上下両端には第一ギヤ２９が対称的に固定的に設置され、前記ラック溝２７の中には長ラック５２がそれぞれスライドできるように連結され、前記長ラック５２がそれ自身に対応した前記第一ギヤ２９とそれぞれ噛み合っており、前記連結空間５１の上下端壁には縦軸２０が回転できるように連結され、前記縦軸２０の上端には前記長ラック５２と噛み合っている第二ギヤ５３が固定的に設置され、前記縦軸２０の下端には巻き輪４７が固定的に設置され、前記巻き輪４７には縄４８が固定的に設置され、前記縄４８のもう一端が前記挟みブロック４４と固定的に連結され、筆を取り出す時、前記駆動ブロック３０を旋転させ、それによって前記駆動軸３１と前記第一ギヤ２９とを回転連動させ、それによって前記長ラック５２を移動連動させ、それによって前記第二ギヤ５３を通して前記縦軸２０と前記巻き輪４７とを回転連動させ、前記縄４８を通して前記挟みブロック４４を前記挟みブロック溝４３の中に引き戻す。
【００１６】
使用の時、最初につまみ６１を旋転させ、それによって噛み合い機構６０と親ねじ６３とを回転連動させ、それによって昇降板２５を上方へ移動連動させ、それによって固定ブロック２６の高さを調節し、そして毛筆の後端を底溝４１の中に嵌め、それによって毛筆の上端が回転板４０を両側へ押し、それによって移動ブロック３４が移動し、それによってＬ型ロッド５０が固定軸３８から離れている方向へ移動し、弧状ヘッド５３が上方へ移動し、挟みブロック４４が挟みブロックばね４５を通して弾き出されて筆軸を固定し、そして密封板２４を両側へ引き動かし、つまみ６１を回転させることによって昇降板２５を下方へ移動連動させ、それによって筆頭が乾燥チャンバ５７の中に入り、筆を取り出す時、駆動ブロック３０を旋転させ、それによって駆動軸３１と第一ギヤ２９とを回転連動させ、それによって長ラック５２を移動連動させ、それによって第二ギヤ５３を通して縦軸２０と巻き輪４７とを旋転連動させ、縄４８を通して挟みブロック４４を挟みブロック溝４３の中に引き戻し、そして密封板２４を開けて筆を取り出せばいい。
【００１７】
本発明の有益な効果は：本装置は毛筆の異なる高さによって毛筆を固定でき、それに乾燥した環境で毛筆を保存できるようにさせ、それによって毛筆に黴が生えることは発生しにくく、同時に毛筆の使用寿命も高め、きれいな字を書くのに役立つ。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020179660.tif 000003
【図２】
2020179660.tif 000004
【図３】
2020179660.tif 000005
【図４】
2020179660.tif 000006
【図５】
2020179660.tif 000007
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
正面視で、台座を含み、前記台座の上端面には三つの抜き穴が設置され、各前記抜き穴の左右両端には位置制限溝がそれぞれ設置され、前記位置制限溝の中には位置制限機構が設置され、前記位置制限機構の上端面には密封板がそれぞれ固定的に設置され、前記抜き穴の下端壁には乾燥チャンバが設置され、前記乾燥チャンバの下端壁には水分を吸収できるシリカゲルが設置され、前記乾燥チャンバの後端には三つの噛み合い溝が設置され、前記噛み合い溝の中には噛み合い機構が設置され、前記噛み合い機構の左端にはつまみが固定的に設置され、前記噛み合い機構の上端には親ねじが固定的に設置され、前記噛み合い溝の上端壁には押しスライド溝が設置され、前記押しスライド溝の中には前記親ねじとネジ山によって連結された昇降板がスライドできるように連結され、前記昇降板の前端面には固定ブロックが固定的に設置され、前記固定ブロックの中には下方に開口した底溝が設置され、前記底溝の前後端壁には固定軸が固定的に連結され、前記固定軸には回転板が前後対称的に回転できるように連結され、前記回転板の間には復帰ばねが連結され、前記回転板の上端には凹ブロックがそれぞれヒンジで連結され、前記凹ブロックの中には凹溝が設置され、前記凹溝の中には移動ブロックがスライドできるように連結され、前記移動ブロックと前記凹溝との間には連結ばねが連結され、前記底溝の上端壁にはＴ型溝が設置され、前記Ｔ型溝の中には前記移動ブロックと固定的に連結されたＴ型ブロックがスライドできるように連結され、前記底溝の左右端壁には挟みブロック溝がそれぞれ設置され、前記挟みブロック溝の上端壁には連動溝が設置され、前記連動溝と前記挟みブロック溝との間には筆軸挟み装置が設置され、前記移動ブロックの左右への移動によって筆軸挟み装置が始動され筆軸を固定し、前記底溝の上端には駆動溝が設置され、前記駆動溝の左右端壁にはラック溝がそれぞれ設置され、前記ラック溝のもう一端には連結空間がそれぞれ連通され、前記連結空間と前記挟みブロック溝との間には紐溝が連通され、前記連結空間と前記駆動溝との間には筆軸挟み装置を復帰させることができる回収装置がそれぞれ設置され、
前記筆軸挟み装置は前記移動ブロックの一つの端面に固定的に装着されたＬ型ロッドを含み、前記Ｌ型ロッドが前記連動溝とスライドできるように連結され、前記Ｌ型ロッドの下端面には弧状ヘッドがスライドできるように連結され、前記弧状ヘッドと前記Ｌ型ロッドとの間には小ばねが連結され、前記挟みブロック溝の中には筆軸を固定できる挟みブロックがスライドできるように連結され、前記挟みブロックが前記弧状ヘッドと当接しており、前記挟みブロックと前記挟みブロック溝との間には挟みブロックばねが連結され、前記Ｌ型ロッドが前記固定軸から離れている方向へ移動する時、前記弧状ヘッドが上方へ移動し、前記挟みブロックが前記挟みブロックばねを通して弾き出されて筆軸を固定し、
前記回収装置は前記駆動溝の上下端壁に回転できるように装着された駆動軸を含み、前記駆動軸の上端には駆動ブロックが固定的に設置され、前記駆動軸の上下両端には第一ギヤが対称的に固定的に設置され、前記ラック溝の中には長ラックがそれぞれスライドできるように連結され、前記長ラックがそれ自身に対応した前記第一ギヤとそれぞれ噛み合っており、前記連結空間の上下端壁には縦軸が回転できるように連結され、前記縦軸の上端には前記長ラックと噛み合っている第二ギヤが固定的に設置され、前記縦軸の下端には巻き輪が固定的に設置され、前記巻き輪には縄が固定的に設置され、前記縄のもう一端が前記挟みブロックと固定的に連結され、筆を取り出す時、前記駆動ブロックを旋転させ、それによって前記駆動軸と前記第一ギヤとを回転連動させ、それによって前記長ラックを移動連動させ、それによって前記第二ギヤを通して前記縦軸と前記巻き輪とを回転連動させ、前記縄を通して前記挟みブロックを前記挟みブロック溝の中に引き戻すことを特徴とする毛筆掛け。
【手続補正２】
【補正対象書類名】明細書
【補正対象項目名】全文
【補正方法】変更
【補正の内容】
【発明の詳細な説明】
【技術分野】
【０００１】
本発明は文房具分野に関わり、具体的には毛筆掛けである。
【背景技術】
【０００２】
毛筆掛けは毛筆をかけて置く設備であり、既存技術の毛筆掛けは毛筆の高さによって調節されるのが便利ではなく、使用が不便であり、そして乾燥した環境で毛筆を保存することに不利で、毛筆に黴が生えやすい。
【先行技術文献】
【特許文献】
【０００３】
【特許文献１】中国特許出願公開第１０３９２１６０１号明細書
【発明の概要】
【発明が解決しようとする課題】
【０００４】
本発明の目的は毛筆掛けを提供し、上記背景技術に提出される問題を解決する。
【課題を解決するための手段】
【０００５】
上記の目的を実現するため、本発明は以下の技術プランを提供する：毛筆掛けは、台座を含み、前記台座の上端面には三つの抜き穴が設置され、各前記抜き穴の左右両端には位置制限溝がそれぞれ設置され、前記位置制限溝の中には位置制限機構が設置され、前記位置制限機構の上端面には密封板がそれぞれ固定的に設置され、前記抜き穴の下端壁には乾燥チャンバが設置され、前記乾燥チャンバの下端壁には水分を吸収できるシリカゲルが設置され、前記乾燥チャンバの後端には三つの噛み合い溝が設置され、前記噛み合い溝の中には噛み合い機構が設置され、前記噛み合い機構の左端にはつまみが固定的に設置され、前記噛み合い機構の上端には親ねじが固定的に設置され、前記噛み合い溝の上端壁には押しスライド溝が設置され、前記押しスライド溝の中には前記親ねじとネジ山によって連結された昇降板がスライドできるように連結され、前記昇降板の前端面には固定ブロックが固定的に設置され、前記固定ブロックの中には下方に開口した底溝が設置され、前記底溝の前後端壁には固定軸が固定的に連結され、前記固定軸には回転板が前後対称的に回転できるように連結され、前記回転板の間には復帰ばねが連結され、前記回転板の上端には凹ブロックがそれぞれヒンジで連結され、前記凹ブロックの中には凹溝が設置され、前記凹溝の中には移動ブロックがスライドできるように連結され、前記移動ブロックと前記凹溝との間には連結ばねが連結され、前記底溝の上端壁にはＴ型溝が設置され、前記Ｔ型溝の中には前記移動ブロックと固定的に連結されたＴ型ブロックがスライドできるように連結され、前記底溝の左右端壁には挟みブロック溝がそれぞれ設置され、前記挟みブロック溝の上端壁には連動溝が設置され、前記連動溝と前記挟みブロック溝との間には筆軸挟み装置が設置され、前記移動ブロックの左右への移動によって筆軸挟み装置が始動され筆軸を固定し、前記底溝の上端には駆動溝が設置され、前記駆動溝の左右端壁にはラック溝がそれぞれ設置され、前記ラック溝のもう一端には連結空間がそれぞれ連通され、前記連結空間と前記挟みブロック溝との間には紐溝が連通され、前記連結空間と前記駆動溝との間には筆軸挟み装置を復帰させることができる回収装置がそれぞれ設置された。
【０００６】
好ましくは、前記筆軸挟み装置は前記移動ブロックの一つの端面に固定的に装着されたＬ型ロッドを含み、前記Ｌ型ロッドが前記連動溝とスライドできるように連結され、前記Ｌ型ロッドの下端面には弧状ヘッドがスライドできるように連結され、前記弧状ヘッドと前記Ｌ型ロッドとの間には小ばねが連結され、前記挟みブロック溝の中には筆軸を固定できる挟みブロックがスライドできるように連結され、前記挟みブロックが前記弧状ヘッドと当接しており、前記挟みブロックと前記挟みブロック溝との間には挟みブロックばねが連結され、前記Ｌ型ロッドが前記固定軸から離れている方向へ移動する時、前記弧状ヘッドが上方へ移動し、前記挟みブロックが前記挟みブロックばねを通して弾き出されて筆軸を固定する。
【０００７】
好ましくは、前記回収装置は前記駆動溝の上下端壁に回転できるように装着された駆動軸を含み、前記駆動軸の上端には駆動ブロックが固定的に設置され、前記駆動軸の上下両端には第一ギヤが対称的に固定的に設置され、前記ラック溝の中には長ラックがそれぞれスライドできるように連結され、前記長ラックがそれ自身に対応した前記第一ギヤとそれぞれ噛み合っており、前記連結空間の上下端壁には縦軸が回転できるように連結され、前記縦軸の上端には前記長ラックと噛み合っている第二ギヤが固定的に設置され、前記縦軸の下端には巻き輪が固定的に設置され、前記巻き輪には縄が固定的に設置され、前記縄のもう一端が前記挟みブロックと固定的に連結され、筆を取り出す時、前記駆動ブロックを旋転させ、それによって前記駆動軸と前記第一ギヤとを回転連動させ、それによって前記長ラックを移動連動させ、それによって前記第二ギヤを通して前記縦軸と前記巻き輪とを回転連動させ、前記縄を通して前記挟みブロックを前記挟みブロック溝の中に引き戻す。
【発明の効果】
【０００８】
本発明の有益な効果は：本装置は毛筆の異なる高さによって毛筆を固定でき、それに乾燥した環境で毛筆を保存できるようにさせ、それによって毛筆に黴が生えることは発生しにくく、同時に毛筆の使用寿命も高め、きれいな字を書くのに役立つ。
【図面の簡単な説明】
【０００９】
本発明の実施例又は既存技術の技術プランを詳しく説明するため、下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の毛筆掛け全体全断面の正面構造略図
【図２】図２は本発明の図１の中の固定ブロックの拡大図
【図３】図３は本発明の図２の中のＣのところの部分拡大図
【図４】図４は本発明の図１の中のＡ―Ａ方向の断面図
【図５】図５は本発明の図１の中のＢ―Ｂ方向の断面図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１３】
図１〜５を参考し、本発明の実施例は：毛筆掛けであり、毛筆掛けは台座２１を含み、前記台座２１の上端面には三つの抜き穴５８が設置され、各前記抜き穴５８の左右両端には位置制限溝２３がそれぞれ設置され、前記位置制限溝２３の中には位置制限機構６６が設置され、前記位置制限機構６６の上端面には密封板２４がそれぞれ固定的に設置され、前記抜き穴５８の下端壁には乾燥チャンバ５７が設置され、前記乾燥チャンバ５７の下端壁には水分を吸収できるシリカゲル２２が設置され、前記乾燥チャンバ５７の後端には三つの噛み合い溝５９が設置され、前記噛み合い溝５９の中には噛み合い機構６０が設置され、前記噛み合い機構６０の左端にはつまみ６１が固定的に設置され、前記噛み合い機構６０の上端には親ねじ６３が固定的に設置され、前記噛み合い溝５９の上端壁には押しスライド溝６４が設置され、前記押しスライド溝６４の中には前記親ねじ６３とネジ山によって連結された昇降板２５がスライドできるように連結され、前記昇降板２５の前端面には固定ブロック２６が固定的に設置され、前記固定ブロック２６の中には下方に開口した底溝４１が設置され、前記底溝４１の前後端壁には固定軸３８が固定的に連結され、前記固定軸３８には回転板４０が前後対称的に回転できるように連結され、前記回転板４０の間には復帰ばね３９が連結され、前記回転板４０の上端には凹ブロック３７がそれぞれヒンジで連結され、前記凹ブロック３７の中には凹溝３６が設置され、前記凹溝３６の中には移動ブロック３４がスライドできるように連結され、前記移動ブロック３４と前記凹溝３６との間には連結ばね３５が連結され、前記底溝４１の上端壁にはＴ型溝３３が設置され、前記Ｔ型溝３３の中には前記移動ブロック３４と固定的に連結されたＴ型ブロック３２がスライドできるように連結され、前記底溝４１の左右端壁には挟みブロック溝４３がそれぞれ設置され、前記挟みブロック溝４３の上端壁には連動溝４９が設置され、前記連動溝４９と前記挟みブロック溝４３との間には筆軸挟み装置１０１が設置され、前記移動ブロック３４の左右への移動によって筆軸挟み装置１０１が始動され筆軸を固定し、前記底溝４１の上端には駆動溝２８が設置され、前記駆動溝２８の左右端壁にはラック溝２７がそれぞれ設置され、前記ラック溝２７のもう一端には連結空間５１がそれぞれ連通され、前記連結空間５１と前記挟みブロック溝４３との間には紐溝４６が連通され、前記連結空間５１と前記駆動溝２８との間には筆軸挟み装置１０１を復帰させることができる回収装置１０２がそれぞれ設置された。
【００１４】
前記筆軸挟み装置１０１は前記移動ブロック３４の一つの端面に固定的に装着されたＬ型ロッド５０を含み、前記Ｌ型ロッド５０が前記連動溝４９とスライドできるように連結され、前記Ｌ型ロッド５０の下端面には弧状ヘッド５３がスライドできるように連結され、前記弧状ヘッド５３と前記Ｌ型ロッド５０との間には小ばね５５が連結され、前記挟みブロック溝４３の中には筆軸を固定できる挟みブロック４４がスライドできるように連結され、前記挟みブロック４４が前記弧状ヘッド５３と当接しており、前記挟みブロック４４と前記挟みブロック溝４３との間には挟みブロックばね４５が連結され、前記Ｌ型ロッド５０が前記固定軸３８から離れている方向へ移動する時、前記弧状ヘッド５３が上方へ移動し、前記挟みブロック４４が前記挟みブロックばね４５を通して弾き出されて筆軸を固定する。
【００１５】
前記回収装置１０２は前記駆動溝２８の上下端壁に回転できるように装着された駆動軸３１を含み、前記駆動軸３１の上端には駆動ブロック３０が固定的に設置され、前記駆動軸３１の上下両端には第一ギヤ２９が対称的に固定的に設置され、前記ラック溝２７の中には長ラック５２がそれぞれスライドできるように連結され、前記長ラック５２がそれ自身に対応した前記第一ギヤ２９とそれぞれ噛み合っており、前記連結空間５１の上下端壁には縦軸２０が回転できるように連結され、前記縦軸２０の上端には前記長ラック５２と噛み合っている第二ギヤ５３が固定的に設置され、前記縦軸２０の下端には巻き輪４７が固定的に設置され、前記巻き輪４７には縄４８が固定的に設置され、前記縄４８のもう一端が前記挟みブロック４４と固定的に連結され、筆を取り出す時、前記駆動ブロック３０を旋転させ、それによって前記駆動軸３１と前記第一ギヤ２９とを回転連動させ、それによって前記長ラック５２を移動連動させ、それによって前記第二ギヤ５３を通して前記縦軸２０と前記巻き輪４７とを回転連動させ、前記縄４８を通して前記挟みブロック４４を前記挟みブロック溝４３の中に引き戻す。
【００１６】
使用の時、最初につまみ６１を旋転させ、それによって噛み合い機構６０と親ねじ６３とを回転連動させ、それによって昇降板２５を上方へ移動連動させ、それによって固定ブロック２６の高さを調節し、そして毛筆の後端を底溝４１の中に嵌め、それによって毛筆の上端が回転板４０を両側へ押し、それによって移動ブロック３４が移動し、それによってＬ型ロッド５０が固定軸３８から離れている方向へ移動し、弧状ヘッド５３が上方へ移動し、挟みブロック４４が挟みブロックばね４５を通して弾き出されて筆軸を固定し、そして密封板２４を両側へ引き動かし、つまみ６１を回転させることによって昇降板２５を下方へ移動連動させ、それによって筆頭が乾燥チャンバ５７の中に入り、筆を取り出す時、駆動ブロック３０を旋転させ、それによって駆動軸３１と第一ギヤ２９とを回転連動させ、それによって長ラック５２を移動連動させ、それによって第二ギヤ５３を通して縦軸２０と巻き輪４７とを旋転連動させ、縄４８を通して挟みブロック４４を挟みブロック溝４３の中に引き戻し、そして密封板２４を開けて筆を取り出せばいい。
【００１７】
本発明の有益な効果は：本装置は毛筆の異なる高さによって毛筆を固定でき、それに乾燥した環境で毛筆を保存できるようにさせ、それによって毛筆に黴が生えることは発生しにくく、同時に毛筆の使用寿命も高め、きれいな字を書くのに役立つ。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。